(57)【要約】 【課題】 特開昭６３−２５５５７２のエネルギー発生装置は、圧力を保持しているキャリッジ組み立体の弁を開き、圧力を取り出している間キャリッジ組み立体を動かすことができないので動作速度の制限が大きく、またキャリッジ組み立体に弁機構が必要で、制作コストが高くメンテナンスが難しい。【解決手段】一部を開放した気体圧縮容器をチェーン状に連結し、図１の様に液体中で気体圧縮容器内の気体が漏れない様に気体圧縮容器開放部を下向きに沈める。気体圧縮容器内の気体が圧縮されたところで気体圧縮容器の開放部の向きを上側にして、浮き上がっていく気泡を図１の様に高圧部に開放部を持つ圧縮気体貯蔵容器に貯蔵する。圧縮気体貯蔵容器の周囲の圧力が低い部分に取り付けられたバルブを開いて出力を得る。【選択図】  図１
2014105688.tif 000002
【特許請求の範囲】
【請求項１】
一部を開放した気体圧縮容器をチェーン状に連結し、気体圧縮容器内を気体で満たし、液体の中に気体圧縮容器内の気体が漏れない様に、気体圧縮容器の開放部を重力の中心方向である下向きに向け圧力が高い場所まで深く沈める動作を繰り返す。
気体圧縮容器内の気体が、気体圧縮容器の開放部から侵入する液体で圧縮されたところで、気体圧縮容器の開放部を液面側である上側にして、気体圧縮容器で圧縮された気体を圧力が高い場所に開放部を持つ圧縮気体貯蔵容器に収集し貯蔵する。
その圧縮気体を貯蔵した圧縮気体貯蔵容器周囲の圧力が低い部分に取り付けられたバルブを開いた時の力を利用する動力発生機構。
【請求項２】
請求項１に記載された圧縮気体貯蔵容器に取り付けられたバルブ開放時に、液体を混合して出力を得る動力発生機構。
【請求項３】
請求項１に記載された動力発生機構の圧縮気体貯蔵容器内の圧縮気体と、圧縮気体貯蔵容器外の液体を、同じ圧力容器に封入し液体を放出する動作を複数の圧力容器で交互に行い、その圧力容器が放出する液体の力を利用する動力発生機構。
【請求項４】
特開昭６３−２５５５７２のキャリッジ組み立体をチェーン状に連結した状態から脱着できる様にして、キャリッジ組み立体を取り外した状態で出力を取り出す間、その他のキャリッジ組み立体をチェーン状に連結し、気体を圧縮する動作をする動力発生機構。
【請求項５】
請求項１又は請求項２又は請求項３請求項４に記載された動力発生機構の出力の一部を、請求項１、請求項２、請求項３の気体圧縮容器又は請求項４のキャリッジ組み立体を液体の中に沈める為の動力に利用した動力発生機構。
【請求項６】
請求項１、請求項２、請求項３、請求項４、請求項５の動力発生機構出力を利用した発電および海水や金属の、電気分解、分離精製、精錬を行う施設。
【発明の詳細な説明】
【技術分野】
【０００１】
本発明の技術分野は重力による圧力差の利用に関する物である。
【背景技術】
【０００２】
一般的な水力発電は、安定した出力を得るために貯水ダム等が必要であり大きな場所を必要とし建造に多くの制限があった。
【０００３】
特許文献１である特開昭６３−２５５５７２のエネルギー発生装置は、圧力を保持しているキャリッジ組み立体の弁機構を開き圧力を取り出している間、キャリッジ組み立体を動かすことができないので動作速度の制限が大きく弁機構が必要で、制作コストが高くメンテナンスが難しい。
【０００４】
特許文献１である特開昭６３−２５５５７２のエネルギー発生装置や、本発明である静圧発電プラントの出力の基は、単位体積の気体で満たした容器を液体に沈める仕事は、沈める深さだけ単位体積の液体を持ち上げた仕事に等しく、同じ深さの液体中で単位体積の気体が受ける仕事は、単位体積の液体を沈める深さ分積み上げた仕事に等しいので、容器が液体の圧力から得られる仕事の方が液体に沈める仕事より大きくなる事に拠るものであり、液体に沈める深さが深いほど得られる出力は大きくなる。
【０００５】
地上で金属の製錬や電気分解など分離精製を行なえば、発電所と製造設備が離れているので送電ロスや原料や製品を運搬する為に多くのエネルギーが必要である。
【先行技術文献】
【特許文献】
【０００６】
【特許文献１】特開昭６３−２５５５７２５号公報
【発明の概要】
【発明が解決しようとする課題】
【０００７】
解決しようとする問題点は、特許文献１である特開昭６３−２５５５７２のエネルギー発生装置は、圧力を保持しているキャリッジ組み立体の弁機構を開き圧力を取り出している間、キャリッジ組み立体を動かすことが出来ないので動作速度の制限が大きい。
【０００８】
特許文献１である特開昭６３−２５５５７２のエネルギー発生装置は、圧力を保持している容器に弁機構が必要で、容器内部のピストンで気体と液体を仕切っていたので、制作コストが高くメンテナンスが難しい。
【０００９】
一般的な水力発電は安定した出力を得るために貯水ダム等が必要であり、広大な場所が必要で建造に多くの制限があった。
【００１０】
地上で金属の製錬や電気分解など分離精製を行なえば、発電所と製造設備を近くに建設する事が難しく送電ロスや原料を運搬する為に多くのエネルギーが必要である。
【課題を解決するための手段】
【００１１】
第１の課題解決手段は、一部を開放した気体圧縮容器を図２の様にチェーン状に連結し、図１の様に気体圧縮容器内の気体が漏れない様、開放部を下向きにして液体の中に深く沈める。
気体圧縮容器内に侵入する液体により気体圧縮容器内の気体が圧縮されたところで、気体圧縮容器の開放部を上側にして、浮き上がっていく気泡を図１の様に圧縮気体貯蔵容器に回収し貯蔵する。
図１の様に圧縮気体貯蔵容器周辺の圧力が低い部分に取り付けられたバルブを開放して圧縮気体貯蔵容器内の気体を排出して出力を得て、発電および海水や金属の、電気分解、分離精製、精錬をする。
【００１２】
第２の課題解決手段は、特開昭６３−２５５５７２のキャリッジ組み立体を、チェーン状に連結した状態から脱着できる様にして、取り外したキャリッジ組み立体から出力を取り出す。
取り外したキャリッジ組み立体から出力を取り出す間、その他のチェーン状に取り付けられたキャリッジ組み立体を動作させ、より多くの出力を得て、発電および海水や金属の、電気分解、分離精製、精錬をする。
【００１３】
第３の課題解決手段は、第１の課題解決手段または第２の課題解決手段を用い生成された出力の一部を、第１の課題解決手段のキャリッジ組み立体または第２の課題解決手段の気体圧縮容器を沈める動力に用い出力を得て、発電および海水や金属の、電気分解、分離精製、精錬をする。
【発明の効果】
【００１４】
水力発電は、安定した出力を得るために貯水ダム等が必要であり、広大な場所が必要で建造に多くの制限があったが、本発明である静圧発電プラントは陸上に大きな場所を必要とせず、水上で発電および海水や金属の、電気分解、分離精製、精錬をするので原料や製品の搬送も容易で、海水を原料として水素、酸素、塩素、ナトリウム、ウラン、海水に含まれる金属等を生産するにあたり、海上に本発明である静圧発電プラントを設置した場合は原料の入手も容易になる。
【００１５】
圧縮された気体を貯蔵するので、気体を圧縮する動作を止めることなく運転し続ける事が出来るので取り出せる出力が大きくなる。
【図面の簡単な説明】
【００１６】
【図１】実施例１の動作説明図である。
【図２】実施例１の機構説明図である。
【発明を実施するための形態】
【００１７】
以下、本発明の形態である実施例１を図１、図２に基づいて説明する。
【実施例１】
【００１８】
一部を開放した気体圧縮容器を、図２の様にチェーン状に連結して浮体の中に収め、その浮体に固定された圧縮気体貯蔵容器の開放部が、図１の様に周囲の圧力が高い場所で下向きに成るように浮体を地盤に係留具で係留する。
【００１９】
図１の様に気体圧縮容器開放部を重力の中心方向である下向きに沈め、気体圧縮容器に侵入する液体により気体圧縮容器内の気体が圧縮されたところで、図１の様に気体圧縮容器開放部方向制御板と気体圧縮容器の摩擦又はギヤの噛み合いにより気体圧縮容器を回転させ気体圧縮容器の開放部を上側にして、浮き上がって行く気泡を図１の様に圧縮気体貯蔵容器に収集し貯蔵する。
【００２０】
図１の様に圧縮気体貯蔵容器の開放部の周囲の圧力が高い状態で、圧縮気体貯蔵容器に取り付けられたバルブを開放して容器内の気体を排出し、その排出された気体の力を利用して発電その出力で発電および海水や金属の、電気分解、分離精製、精錬を行う。
【００２１】
図１の様に気体圧縮容器開放部を液面上で、気体圧縮容器開放部方向制御板と気体圧縮容器の摩擦又はギヤの噛み合いにより気体圧縮容器を回転させ、気体圧縮容器開放部を下側に向けて気体圧縮容器内の液体と気体を入れ換え、気体圧縮容器開放部を下向きに沈める動作を繰り返す。
【実施例２】
【００２２】
特開昭６３−２５５５７２のキャリッジ組み立体をチェーン状に連結した状態から脱着できる様にして、キャリッジ組み立体を取り外す。
【００２３】
取り外したキャリッジ組み立体から出力を取り出す間、その他のキャリッジ組み立体をチェーン状に連結して動作させ、その出力で発電および海水や金属の、電気分解、分離精製、精錬する。
【産業上の利用可能性】
【００２４】
圧力差の有る所で出力を得て、その出力で発電および海水や金属の電気分解、分離精製、精錬するものである。
【符号の説明】
【００２５】
Ａ  気体圧縮容器
Ｂ  圧縮気体貯蔵容器
Ｃ  気体圧縮容器開放部方向制御板
Ｄ  バルブ
Ｅ  圧縮気体
Ｆ  水面
Ｇ  地盤
Ｈ  案内板
Ｉ  スプロケット
Ｊ  係留具
Ｋ  浮体
【図１】
2014105688.tif 000003
【図２】
2014105688.tif 000004